(57)【要約】【課題】印刷の終了時あるいは、開始時に音を発生する機能により、印刷ジョブの終了、開始をオペレータが容易に認識可能とし、印刷ジョブごとに音を設定できる機能により、どの印刷ジョブの開始、終了かを更に明確にすることを可能とすることを特徴とする印刷装置。【解決手段】プリンタドライバにおいて、印刷の終了時に音を発生あるいは、印刷の開始時に音を発生する音設定手段と、発生する数種類の音を記憶しておくホスト側印刷音種類テーブルとを有し、印刷装置において、印刷装置から送られる印刷情報の解析を行い、音を発生させるか等を判断する命令分類手段と、各種の音声を発生する機能を持つ音声発生手段と各種の音を記憶しておく印刷装置側音種類テーブルと、音種類テーブルから該当の音声を選択する音発生手段を有する。【選択図】　　　　図１
2004034309.tif 000002
【特許請求の範囲】
【請求項１】
プリンタドライバにおいて、印刷の終了時に音を発生、あるいは、印刷の開始前に音を発生する音設定手段と、発生する数種類の音を記憶しておくホスト側印刷音種類テーブルとを有し、印刷装置において、印刷装置から送られる印刷情報の解析を行い、音を発生させるか等を判断する命令分類手段と、各種の音声を発生する機能を持つ音声発生手段と各種の音を記憶しておく印刷装置側音種類テーブルと、音種類テーブルから該当の音声を選択する音発生手段とを有することを特徴とする印刷装置。
【請求項２】
上記、請求項１の印刷装置において、ジョブの印字結果出力が終了したことを検出する手段を有し、この検出手段により各ジョブの印字結果出力の終了が検出される毎に印刷装置は、音を発生することを特徴とする印刷装置。
【請求項３】
上記、請求項１の印刷装置において、ジョブの印字開始を検出する手段を有し、この検出手段により各ジョブの印字開始が検出される毎に印刷装置は、音を発生することを特徴とする印刷装置。
【請求項４】
上記、請求項１の印刷装置において、ジョブの印字結果出力が終了したことを検出する手段を有し、この検出手段により各ジョブの印字結果出力の終了が検出される毎に印刷装置は、各ジョブに対応した音を発生するか発生しないかを設定できることを特徴とする印刷装置。
【請求項５】
上記、請求項１の印刷装置において、ジョブの印字開始を検出する手段を有し、この検出手段により各ジョブの印字開始が検出される毎に印刷装置は、各ジョブに対応した音を発生するか発生しないかを設定できることを特徴とする印刷装置。
【請求項６】
上記、請求項１の印刷装置において、各ジョブごとに印字結果出力の終了を知らせる音の種類を選択できることを特徴とする印刷装置。
【請求項７】
上記、請求項１の印刷装置において、各ジョブごとに印字開始を知らせる音の種類を選択できることを特徴とする印刷装置。
【発明の詳細な説明】
【０００１】
【発明の属する技術分野】
本発明は、印刷ジョブの開始、終了を通知する印刷装置に関する。
【０００２】
【従来の技術】
従来、印刷装置では、それぞれの印刷データの区別を明確にすることなく、そのまま出力していた。
【０００３】
【発明が解決しようとする課題】
印刷装置に沢山の印刷データを送った場合、どの印刷ジョブが終了したのかがわかりにくく、その終了は、出力物を見て確認しなければならなかった。
【０００４】
また、印刷装置が複数のホストに共有されている場合、例えば、他のオペレータが大量の印刷データを転送している場合等に印刷しようとすると、いつ、前のオペレータの印刷が終了し、いつ、自己の印刷が始まるかを認識することが難しかった。
【０００５】
【課題を解決するための手段】
プリンタドライバにおいて、印刷の終了時に音を発生する機能あるいは、印刷の開始前に音を発生する機能を設定する音設定手段と、発生する数種類の音を記憶しておくホスト側印刷音種類テーブルとを有し、印刷装置において、印刷装置から送られる印刷情報の解析を行い、音を発生させるか等を判断する命令分類手段と、各種の音声を発生する機能を持つ音声発生手段と各種の音を記憶しておく印刷装置側音種類テーブルと、音種類テーブルから該当の音声を選択する音発生手段を有する。
【０００６】
（作用）
印刷の終了時または、印刷の開始時に音を発生する機能をもつことによって、印刷装置に沢山の印刷データを送った場合、どの印刷ジョブが終了したのか、どの印刷ジョブが開始されたのかをオペレータが容易に認識可能とする。また、印刷ジョブごとにその発生する音を設定できる機能をもたせることで、どの印刷ジョブの開始、終了かを更に明確にすることを可能とすることを特徴とする。
【０００７】
【発明の実施の形態】
（実施例１）
以下、図面を参照して本発明を詳細に説明する。
【０００８】
本発明に係る印刷装置は、図１印刷装置基本構成図に示すように印刷装置２０００、ホストコンピュータ１０００、プリンタドライバ３０００から構成される。
【０００９】
図２は、印刷装置構成図である。
【００１０】
本発明に係る印刷装置は、オペレータに、印刷ジョブが終了した時点で音声を発生させるかを選択させる印刷終了音設定手段１１と、音声の種類を記憶する印刷終了音テーブル１０とを含むプリンタドライバ３０００と、ホスト側双方向通信インタフェース１２とから成るホストコンピュータ１０００と、印刷装置２０００から送られる印刷情報の解析を行い、終了音を発生させるか等を判断する命令分類手段１４と印刷を行う印刷手段１５と、印刷終了音テーブル１８から該当の音声を選択する終了音発生手段１６と、各種の音声を発生する機能を持つ音声発生手段１９と排紙を行う排紙手段１７と印刷装置側双方向通信インタフェース１３とから成る印刷装置２０００から構成される。
【００１１】
図３は、ホスト側印刷終了音テーブルである。オペレータは、本テーブルから音声を選択する。
【００１２】
図４は、印刷終了後に音声を発生する場合のホストコンピュータから印刷装置に印刷データを送信する場合の手順である。
【００１３】
Ｓ１では、プリンタドライバ３０００で、これから転送する印刷データの出力終了時に、音声を発生させるかを印刷終了音設定手段１１によってオペレータに選択させる。
【００１４】
Ｓ２では、プリンタドライバ３０００から、オペレータから音声を発生させたいとの入力があった場合、印刷終了音テーブル１０から、発生させたい音を選択する。本実施例では、図３のホスト側印刷終了音テーブルにおいて、▲２▼の音声を選択するとする。
【００１５】
プリンタドライバ３０００で、オペレータから音声を発生させたいとの入力がなかった場合には、通常の印刷で、Ｓ８印刷データの転送、Ｓ９印刷処理を行う。
【００１６】
Ｓ３では、ホスト１０００から、印刷データと共に、Ｓ２で選択した音声の情報を転送する。
【００１７】
Ｓ４では、印刷装置側２０００で、命令分類手段１４によって音声を発生させるかを判断する。
【００１８】
音声を発生させないと判断した場合、Ｓ９へ進み、通常の印刷処理を行う。
【００１９】
音声を発生させると判断した場合、Ｓ５へ進み、印刷手段１５の印刷処理を行い、Ｓ６で排紙手段１７の排紙終了を待ち、排紙が終了した時、Ｓ７で終了音発生手段１６は、印刷終了音テーブル１８を参照して、各種の音声発生機能を持つ音声発生手段１９から図３の▲２▼にあたる「印刷２の出力を完了しました。」という音声を発生する。
【００２０】
（実施例２）
以下、図面を参照して本発明を詳細に説明する。
【００２１】
本発明に係る印刷装置は、図５印刷装置基本構成図に示すように印刷装置２００００、ホストコンピュータ１００００、プリンタドライバ３００００から構成される。
【００２２】
図６は、印刷装置構成図である。
【００２３】
本発明に係る印刷装置は、オペレータに、印刷ジョブが終了した時点で音声を発生させるかを選択させる印刷開始音設定手段２１と、音の種類を記憶する印刷開始音テーブル２０とを含むプリンタドライバ３００００と、ホスト側双方向通信インタフェース２２とから成るホストコンピュータ１００００と、印刷装置２００００から送られる印刷情報の解析を行い、開始音を発生させるか等を判断する命令分類手段２４と印刷を行う印刷手段２５と、印刷開始音テーブル２７から該当の音声を選択する開始音発生手段２６と、短いビープ音と長いビープ音を鳴らす手段を持つ音発生手段２８と印刷装置側双方向通信インタフェース２３とから成る印刷装置２００００から構成される。
【００２４】
図７は、ホスト側印刷開始音テーブルである。オペレータは、本テーブルから音を選択する。
【００２５】
図８は、印刷開始前に音を鳴らす場合のホストコンピュータから印刷装置に印刷データを送信する場合の手順である。
【００２６】
Ａ１では、プリンタドライバ３００００で、これから転送する印刷データの出力前に、音を鳴らすかを印刷開始音設定手段２６によってオペレータに選択させる。
【００２７】
Ａ２では、プリンタドライバ３００００から、オペレータから音を鳴らしたいとの入力があった場合、印刷開始音テーブル２７から、発生させたい音を選択する。本実施例では、図６のホスト側印刷開始音テーブルにおいて、▲４▼の音声を選択するとする。
【００２８】
プリンタドライバ３００００で、オペレータから音を鳴らしたいとの入力がなかった場合には、通常の印刷で、Ａ７印刷データの転送、Ａ８印刷処理を行う。
Ａ３では、ホスト１００００から、印刷データと共に、Ａ２で選択した音の情報を転送する。
【００２９】
Ａ４では、印刷装置側２００００で、命令分類手段２６によって音を鳴らせるかを判断する。
【００３０】
音を鳴らさないと判断した場合、Ａ６へ進み、通常の印刷処理を行う。
【００３１】
音を鳴らすと判断した場合、Ａ５へ進み、印刷開始音テーブル２７を参照して、音発生手段１９から図７の▲４▼にあたる「長いピープ音」を鳴らす。そして、Ａ６で、印刷手段２５の印刷処理を行う。
【００３２】
【発明の効果】
印刷の終了時または、印刷の開始時に音を発生する機能をもたせることによって、印刷装置に沢山の印刷データを送った場合、どの印刷ジョブが終了したのか、どの印刷ジョブが開始されたのかをオペレータが容易に認識可能とする。また、印刷ジョブごとにその発生する音を設定できる機能をもたせ、どの印刷ジョブの音かを明確にし、印刷ジョブの終了、開始を更に認識しやすくすることでユーザーに利便性を提供する。
【図面の簡単な説明】
【図１】実施例１に係る印刷装置の基本構成図。
【図２】実施例１に係る印刷装置の構成図。
【図３】実施例１に係るホストコンピュータ側印刷終了音テーブル。
【図４】実施例１に係る印刷終了後に音声を発生する場合の印刷装置からホストコンピュータに印刷データを送信する場合の手順。
【図５】実施例２に係る印刷装置の基本構成図。
【図６】実施例２に係る印刷装置の構成図。
【図７】実施例２に係るホストコンピュータ側印刷開始音テーブル。
【図８】実施例２に係る印刷開始前に音を鳴らす場合の印刷装置からホストコンピュータに印刷データを送信する場合の手順。
【図１】
2004034309.tif 000003
【図２】
2004034309.tif 000004
【図３】
2004034309.tif 000005
【図４】
2004034309.tif 000006
【図５】
2004034309.tif 000007
【図６】
2004034309.tif 000008
【図７】
2004034309.tif 000009
【図８】
2004034309.tif 000010